(57)【特許請求の範囲】
【請求項１】
物品を搬送させるコンベア（１）と、該コンベアの下部に設けられて前記コンベアを以て搬送される前記物品の質量を計量する計量部（８）とからなる計量装置において、
前記コンベアの一部をなし、両側部に板片状の側片（１０ｄ）を垂下して形成しており、各端部に一対のローラ（１１Ａ，１１Ｂ）を有し、該一対のローラ間に無端状のベルト（１２）を張設した受台（１０）と、
該受台とともに前記コンベアをなし、前記受台の各側片と近接して平行するようにそれぞれ立設し、前記計量部に固定されるとともに前記受台を着脱自在に固定する側板（６）と、
前記ベルトの幅方向を狭めるように前記ベルトの上方に立設され、前記ベルトに搬送される物品の搬送経路を規制するガイド部（５１）と、
該ガイド部を前記ベルトの幅方向に移動し得るように取り付ける固定部（５２）と、
該固定部に突設された棒状をなし、前記受台の側片と前記側板との間に挟まれる如く抜止される括れ部（５８）を有し、前記コンベアに固定支持される取付杆（５７）と、
前記受台側に設けられ、前記取付杆の前記括れ部を除く部位を当接支持する支持部（６１）と、
を備えたことを特徴とするワークガイド付計量装置。
【請求項２】
前記受台（１０）の側片（１０ｄ）の下縁あるいは前記側板（６）の上縁の何れか一方または双方には、前記取付杆（５７）の括れ部（５８）を受ける凹部（６０ａ，６ｂ）が形成されていることを特徴とする請求項１に記載のワークガイド付計量装置。
【請求項３】
前記受台（１０）の側片には、前記取付杆（５７）を挿通し得る挿通穴（６０）が形成され、該挿通穴の内縁と、前記側板（６）の上端縁（６ａ）あるいは前記側板にある前記凹部（６ｂ）との間で前記取付杆の括れ部（５８）を挟む如く抜止することを特徴とする請求項１あるいは請求項２に記載のワークガイド付計量装置。
【発明の詳細な説明】
【０００１】
【発明の属する技術分野】
本発明は、物品を搬送するベルトを有したコンベアを備えて物品の質量を計量する計量装置に関し、特に、ベルトの両側部にあって、ベルト上に搬送される物品の搬送経路を規制することが可能なワークガイド付計量装置に関する。
【０００２】
【従来の技術】
一般に、物品を搬送するコンベアを有した計量装置は、製造ラインの最終行程に設置され、物品（ワーク）を停止させることなく搬送しながら物品の質量を計量する。
【０００３】
従来、この種の計量装置は、図７（ａ），（ｂ）に示すように、基台１０９上に計量部１０８（例えばストレインゲージ式ロードセル）が固定され、該計量部１０８上にコンベア１０１が設けられている。この計量部１０８は、コンベア１０１全体と、コンベア１０１に搬送される物品の質量を計量し、演算部（不図示）の演算処理によってコンベア１０１分の質量を差し引いて、物品の質量を求める。
【０００４】
また、搬送される物品が、例えばボトルなど搬送状態が不安定となるものである場合、該物品が搬送中のコンベア１０１からの転倒・落下を防止するため、物品の搬送経路を規制して、この搬送経路に強制的に物品を搬送するワークガイド１５０が設けられる。
【０００５】
まず、コンベア１０１は、左右両側板１０６に取り付けのシャーシ１１０に一対のローラ１１１Ａ，１１１Ｂが配され、各ローラ１１１Ａ，１１１Ｂの間に無端状のベルト１１２が張設されている。一方のローラ１１１Ａは駆動ローラとして構成され、他方のローラ１１１Ｂは従動ローラとして構成されている。駆動ローラ１１１Ａには、駆動ベルト１１８を介して駆動モータ１０４が連結されている。そして、これら各部位は、駆動ローラ１１１Ａを駆動させることにより無端状のベルト１１２が各ローラ１１１Ａ，１１１Ｂを介して回転し、ベルト１１２上の物品を搬送する搬送系をなす。
【０００６】
次に、ワークガイド１５０は、ベルト１１２の上方に立設するガイド板を有している。ガイド板１５３は、ベルト１１２と略平行となるように略Ｌ字状に折曲された調整板１５４を有している。このガイド板１５３は、板片状の固定板１５２を介して、上記搬送系に取り付けられる。
固定板１５２は、側板１０６あるいはシャーシ１１０に対してネジ止め、あるいはキャッチクリップ（不図示）によって着脱可能となるように立設固定される。
固定板１５２の上端縁には、ガイド板１５３から折曲する調整板１５４の板面と重なり合う固定片１５６が折曲形成されている。この固定片１５６は、調整板１５４と重合され、共にネジ固定される。
ワークガイド１５０は、このようにして搬送系に取り付けられている。
【０００７】
ところで、調整板１５４には、ベルト１１２の左右幅方向に長手のスリット穴１５５が形成されている。固定板１５２の固定片１５６は、このスリット穴１５５を介して、調整板１５４とネジ止めされる。そして、該ネジ止めを緩めることにより、ガイド板１５３をスリット穴１５５を介してベルト１１２の幅方向に移動でき、その位置調整を行う。
【０００８】
このような計量装置では、定期的な清掃のため、上記搬送系を取り外す必要がある。
この場合、上記ワークガイド１５０が、ベルト１１２の上方にかかっており、搬送系の取り外しを妨げるため、搬送系を取り外す前に、ワークガイド１５０の取り外しが要される。
ワークガイド１５０の取り外しは、固定板１５２側を取り外す場合と、ガイド板１５３側のみを取り外す場合がある。
固定板１５２側を取り外す場合、側板１０６あるいはシャーシ１１０にへのネジ止めを外すか、あるいはキャッチクリップを解除する。また、ガイド板１５３側のみを取り外す場合、ガイド板１５３と固定板１５２とを固定するネジ止めを外す。
また、清掃が終了した際には、搬送系を元に戻してから、ワークガイド１５０を取り付ける。
【０００９】
【発明が解決しようとする課題】
しかしながら、上述した従来のワークガイド付計量装置では、ワークガイド１５０の着脱工程は、搬送系の取り外しを行う前に必然的なものであり、煩わしい作業であった。
【００１０】
具体的には、各ネジ止めを外す場合、外したネジなどの部品が分離するため、分離した部品を紛失するおそれがある。また、分離した部品を紛失した場合、この部品が搬送する物品に混入する問題もおこり得る。
さらに、ガイド板１５３のみを外す場合、清掃後の取り付けの際にガイド板１５３の位置決めを再調整しなければならず、ガイド板１５３を元の位置に戻すのに手間がかかる。
【００１１】
また、キャッチクリップによって解除する場合には、上記のように部品が分離することはないが、搬送系の取り外しを行う構成と、ワークガイドを取り外す構成（キャッチクリップ）とが別々であるため、清掃時などの搬送系の取り外しに関する前作業として手間がかかることとなる。
【００１２】
また、上述の問題は、清掃時だけのものでなく、例えば、ベルト１１２の交換などの搬送系の保守（メンテナンス）の際にも生じるものである。
【００１３】
そこで本発明は、上記課題を解消するために、ワークガイドの着脱を手間なく容易に行うことができるワークガイド付計量装置を提供することを目的としている。
【００１４】
【課題を解決するための手段】
上記目的を達成するため本発明によるワークガイド付計量装置は、物品を搬送させるコンベア１と、該コンベア１の下部に設けられて前記コンベア１を以て搬送される前記物品の質量を計量する計量部８とからなる計量装置において、
前記コンベア１の一部をなし、両側部に板片状の側片１０ｄを垂下して形成しており、各端部に一対のローラ１１Ａ，１１Ｂを有し、該一対のローラ１１Ａ，１１Ｂ間に無端状のベルト１２を張設した受台１０と、
該受台１０とともに前記コンベア１をなし、前記受台１０の各側片１０ｄと近接して平行するようにそれぞれ立設し、前記計量部８に固定されるとともに前記受台１０を着脱自在に固定する側板６と、
前記ベルト１２の幅方向を狭めるように前記ベルト１２の上方に立設され、前記ベルト１２に搬送される物品の搬送経路を規制するガイド部５１と、
該ガイド部５１を前記ベルト１２の幅方向に移動し得るように取り付ける固定部５２と、
該固定部５２に突設された棒状をなし、前記受台１０の側片１０ｄと前記側板６との間に挟まれる如く抜止される括れ部５８を有し、前記コンベア１に固定支持される取付杆５７と、
前記受台１０側に設けられ、前記取付杆５７の前記括れ部５８を除く部位を当接支持する支持部６１と、
を備えたことを特徴としている。
【００１５】
また、前記受台１０の側片１０ｄの下縁あるいは前記側板６の上縁の何れか一方または双方には、前記取付杆５７の括れ部５８を受ける凹部６０ａ，６ｂが形成されていることを特徴としている。
【００１６】
また、前記受台１０の側片には、前記取付杆５７を挿通し得る挿通穴６０が形成され、該挿通穴６０の内縁と、前記側板６の上端縁６ａあるいは前記側板６にある前記凹部６ｂとの間で前記取付杆５７の括れ部５８を挟む如く抜止することを特徴としている。
【００１７】
【発明の実施の形態】
以下、本発明の実施の形態を図面を参照して具体的に説明する。
図１は本発明のワークガイド付計量装置のコンベアを示す平面図、図２は側面図、図３は図２のＡ−Ａ断面図である。これらの図には、計量装置の上部位置に設けられるコンベア１が記載され、該コンベア１にワークガイド５０が配されている。
【００１８】
最初にコンベア１について説明する。
コンベア１は、支持ユニット２と、搬送ユニット３と、モータユニット４で大略構成される。
まず、支持ユニット２は、略直立する左右一対の側板６と、該側板６間を連結する架台７ａ，７ｂで構成される。架台７ａ，７ｂは、計量部８に連結固定されており、コンベア１全体と物品（ワーク）の質量を計量する。計量部８は、例えばロードセルや、電子平衡秤からなる。計量部８の計量信号は、演算部（不図示）に出力され、演算部の演算処理にてコンベア１の質量を差し引くことにより物品の質量を求める。計量部８は、装置の基台９上に固定されている。
【００１９】
次に、搬送ユニット３は、支持ユニット２に対し上方から着脱自在である。搬送ユニット３は、支持ユニット２と略同様の左右幅及び長さを有する受台１０と、受台１０の両端に設けられた駆動ローラ１１Ａ，従動ローラ１１Ｂと、各ローラ１１Ａ，１１Ｂ間に張設される無端状のベルト１２とで大略構成される。
【００２０】
受台１０は、図３に示すように、上記長さ方向に連続して下方に開口する断面略コ字状の受部１０ａを複数（図３では四個）有している。そして、各受部１０ａの側部に対し、図２で示すように長さ方向に直行する支杆１３を複数（この実施の形態では二個）嵌挿して、各受部１０ａを平行に連結固定することで、受台１０の左右幅をなしている。このように構成された受台１０は、各受部１０ａの上面が同じ高さの平坦面１４をなしている。なお、各支杆１３は、受台１０の長さ方向の各端部近傍で嵌挿されている。
【００２１】
このように、受台１０は、左右幅方向及び長さ方向が、受部１０ａの側部と、支杆１３とにより補強されており、平坦面１４を以てベルト１２上に搬送する物品の荷重を支持する。
【００２２】
駆動ローラ１１Ａは、その両端に延出した回転軸１１Ａａが、上記受台１０の長さ方向の一端に固定された軸受部１６によって支持されている。これら軸受部１６には、回転軸１１Ａａを回転自在とするベアリング（不図示）が配されている。また、駆動ローラ１１Ａは、受台１０の平坦面１４と、その上部周面とが同高さとされている。
【００２３】
従動ローラ１１Ｂは、その両端に延出した従動軸１１Ｂａが、上記受台１０の長さ方向の他端に固定されている。この従動ローラ１１Ｂの内部には、従動軸１１Ｂａとの間にベアリング（不図示）を介在している。これにより、従動ローラ１１Ｂは、アリングによって従動軸１１Ｂａを中心に回転する。
【００２４】
ベルト１２は、ポリエステル繊維を帯環状に織製してなる帆布として構成されている。また、ベルト１２の内外面には、防水・防湿・強度向上を目的として、ウレタン樹脂のコーティングが施されている。
そして、ベルト１２は、図１乃至図３に示す如く、揺動部３５の揺動端を受台１０の長さ方向の他端側に向けて、駆動ローラ１１Ａと従動ローラ１１Ｂとの間に張設される。
【００２５】
このように構成された搬送ユニット３は、支持ユニット２上に載置され、固定具３０によって着脱自在となるように固定される。
支持ユニット２の側板６は、それぞれ受台１０の長さ方向に平行となるように直立しているとともに、搬送ユニット３における受台１０両側の側片１０ｄの板厚分を避けて、受台１０よりもやや幅方向（内方）に狭く配されている。
【００２６】
一方、搬送ユニット３における受台１０の各側片１０ｄ間には、上述の如く幅方向に平行する二個の支杆１３（一方は駆動ローラ１１Ａの近傍に位置し、他方は揺動軸３５ａをなす）がある。さらに、受台１０の長さ方向の他端には、揺動軸３５ａを介して支持される従動ローラ１１Ｂの従動軸１１Ｂａがある。
搬送ユニット３は、これら支杆１３、揺動軸３５ａ（支杆１３）、従動軸１１Ｂａが、支持ユニット２の側板６の上端縁６ａに支持されて、支持ユニット２に載置される。
【００２７】
支持ユニット２に載置された搬送ユニット３を固定する固定具３０は、図示のキャッチクリップで構成されている。
このキャッチクリップ３０は、支持ユニット２の側板６に設けられている。また、搬送ユニット３における受台１０の側片１０ｄには、キャッチクリップ３０の係止部分がかかる係合片３０ａが設けられている。
そして、キャッチクリップ３０を係合片３０ａに係合して、支持ユニット２上部位置に搬送ユニット３を固定保持する。
なお、固定具３０は、上述のキャッチクリップに限らず、搬送ユニット３を支持ユニット２にネジ止めする構成としてもよい。
【００２８】
このように、搬送ユニット３を支持ユニット２上に載置固定した際、各支杆１３および従動ローラ１１Ｂの従動軸１１Ｂａが、支持ユニット２の側板６の上端縁６ａに押し付けられるようにして固定される。
【００２９】
次に、モータユニット４は、図１に示すように、駆動ローラ１１Ａの一端部側であって、支持ユニット２の側板６に設けられる。モータユニット４は、駆動モータと、減速機で構成され、これらが防水ケース４ａ内に収容されてなる。モータユニット４の出力軸４ｂは、駆動ローラ１１Ａの回転軸１１Ａａと同軸位置に配置され、駆動ローラ１１Ａの一端側にある軸受部１６を介してこれらが連結される。
【００３０】
駆動ローラ１１Ａの一端側にある軸受部１６は、円筒状２０をなし、その内部には、モータユニット４の出力軸４ｂ、及び駆動ローラ１１Ａの一端側に延出する回転軸１１Ａａにそれぞれ固定された一対（雄雌）のカップリング１８がある。また、モータユニット４の出力軸４ｂの突出部分には、出力軸４ｂに同心状の受座２３がある。この受座２３は円筒状２０の開口内径と所定の精度で嵌合し、この嵌合によりカップリング１８同士の軸芯が同一に位置出しされる。
【００３１】
上記構成のコンベア１は、モータユニット４の駆動モータの回転力が減速機を介して減速され出力軸４ｂが回転する。出力軸４ｂは、連結部１５のカップリング１８を介して搬送ユニット３の駆動ローラ１１Ａの回転軸１１Ａａに連結されている。これにより、駆動ローラ１１Ａが回転し、従動ローラ１１Ｂとの間に張設されているベルト１２が一方向に移動する。
【００３２】
ベルト１２上に物品が移載されると、計量部８は、コンベア１及び物品の質量を計量する。演算部は、計量信号に基づく演算処理でコンベア１の質量を差し引き物品の質量を求める。演算部は、物品の質量に応じて物品の良否を判断したり、質量別に物品を選別する等の制御を行う。
【００３３】
続いて、ワークガイド５０について説明する。
ワークガイド５０は、図１乃至図４に示すように、ガイド部５１と固定部５２とを有している。
ガイド部５１には、駆動ローラ１１Ａと従動ローラ１１Ｂとの間に張設されたベルト１２の上方に立設し、ベルト１２の搬送方向に沿う対向一対のガイド板５３がある。
各ガイド板５３には、ベルト１２の左右幅方向の外側に向かって略水平方向に折曲された調整板５４がある。この調整板５４には、ベルト１２の左右幅方向に長手のスリット穴５５が形成されている（図１中各二個）。
【００３４】
固定部５２は、上述した受台１０の左右各側片１０ｄに沿って立設し得るように板片状に形成されている。また固定部５２の上端には、ガイド部５３における調整板５４の板面と重合し得る板面をなすように略水平に折曲形成された固定片５６が設けられている。この固定片５６には、調整板５４がスリット穴５５を介してネジ止めされる。ゆえに、固定部５２に対してガイド部５１がスリット穴５５を介してネジ止めされることとなる
【００３５】
このように、固定部５２にスリット穴５５を介してネジ止めされたガイド部５１は、ネジ止めを緩めることにより、スリット穴５５を介してベルト１２の左右幅方向に移動することが可能となり、これによって、各ガイド板５３の間隔が調整される。
【００３６】
また、固定部５２の下端近傍には、受台１０側に突出する円棒状の取付杆５７が設けられている。この取付杆５７は、各固定部５２に対しそれぞれ二個ずつある。また、取付杆５７の基端部は、取付杆５７の径よりも細径とされた括れ部５８が形成されている。
【００３７】
上記固定部５２は、取付杆５７を介して上述のコンベア１側に取り付けられる。
ここで、取付杆５７を受けるコンベア１側の構成を説明する。
受台１０の側片１０ｄには、取付杆５７が挿通し得る挿通穴６０が設けられている。また、受台１０をなす両側部の受部１０ａにおいて、側片１０ｄと対向する内片１０ｅには、取付杆５７の先端部を支持する支持部６１が設けられている。この支持部６１は、図４に示す如く取付杆５７の先端部を挿通する開口穴６１として構成されている。
【００３８】
そして、固定部５２にある取付杆５７は、受台１０の側片１０ｄの挿通穴６０と、内片１０ｅの開口穴６１に挿通される。また、取付杆５７にある括れ部５８は、挿通穴６０の内縁に係るように配置される。
また、受台１０は、上述したように支持ユニット２の側板６の上端縁６ａに載置されており、これによって取付杆５７の括れ部５８が側板６の上端縁６ａに係るように載置される。
このような状態において、受台１０の側片１０ｄにある挿通穴６０は、その内縁の上側が取付杆５７の括れ部５８に挿入される。ゆえに、取付杆５７の基端部は、受台１０の側片１０ｄ側（挿通穴６０）と、側板６の上端縁６ａとの間に括れ部５８が挟まれるようにして抜止される。また、取付杆５７の先端部は、受台１０の内片１０ｅの開口穴６１に挿通支持されている。
このように、ワークガイド５０は、固定部５２の取付杆５７を介してコンベア１に取り付けられることとなる。
【００３９】
なお、上記構成において、ワークガイド５０の取付杆５７と、受台１０および側板６との位置関係は、図４に示すように、取付杆５７の径Ｄ１に対し、側片１０ｄにある挿通穴６０の径Ｄ２は、大きい径とされている。また、取付杆５７の径Ｄ１に対し、内片１０ｅの開口穴６１の径Ｄ３は、略同径とされている。また、取付杆５７の括れ部５８を挟むように構成された挿通穴６０の内縁と側板６の上端縁６ａとの間隔は、括れ部５８の径Ｄ４よりも若干大きく、且つ取付杆５７の径Ｄ１よりも小さく形成される。
【００４０】
以下、上述した構成における、搬送ユニット３およびワークガイド５０の着脱動作について説明する。
搬送ユニット３は、定期的な清掃（殺菌、消毒）や、保守（メンテナンス）のために支持ユニット２から取り外される。
搬送ユニット３の取り外しは、始めに支持ユニット２との固定を保持しているキャッチクリップ３０を解除操作する。そして、モータユニット４の出力軸４ｂと、駆動ローラ１１Ａの回転軸１１Ａａとの連結状態を解除する。円筒状２０と受座２３との嵌合を解き、カップリング１８同士の噛合状態が離脱する。したがって、搬送ユニット３は、支持ユニット２の上部方向に取り外される。
【００４１】
ワークガイド５０は、上述したように、搬送ユニット３における受台１０に支持され、且つ受台１０の側片１０ｄと支持ユニット２の側板６とによって抜止されている。このため、ワークガイド５０の取り外しは、搬送ユニット３を支持ユニット２から取り外すことによる。図５に示すように、受台１０の側片１０ｄと支持ユニット２の側板６との分離によって取付杆５７への抜止が解除される。そして、受台１０側（挿通穴６０，開口穴６１）から取付杆５７を抜くことによりワークガイド５０が同時に取り外される。
【００４２】
この後、搬送ユニット３およびワークガイド５０を支持ユニット２に取り付けるには、上記と逆の操作で簡単に取り付けることができる。
即ち、ワークガイド５０における固定部５２の取付杆５７を受台１０側（挿通穴６０，開口穴６１）に挿通させ、搬送ユニット３を支持ユニット２上に載せてキャッチクリップ３０で搬送ユニット３を固定保持する。この後、モータユニット４のキャッチクリップ３１で支持ユニット２に固定すればよい。
【００４３】
このように、ワークガイド５０は、支持ユニット２と搬送ユニット３と取り付けによって固定されるものであり、ワークガイド５０は、支持ユニット２と搬送ユニット３とを固定する固定具としてのキャッチクリップ３０によって固定されていることとなる。
【００４４】
また、ワークガイド５０の取り外しは、ガイド部５１および固定部５２が共に固定された状態で行われるため（いわゆる、ワークガイド５０全体が一括して取り外される）、ガイド部５１のガイド板５３を移動させる調整機構を分解することがない。ゆえに、ワークガイド５０を取り付けた際には、ガイド板５３の位置を調整することなく、元あった位置に戻すことが可能である。
【００４５】
また、ワークガイド５０を取り外す際、各部品が分離することがないので、作業性を向上するととものに、部品の紛失がない。
【００４６】
ところで、上述した実施の形態では、受台１０における側片１０ｄにある挿通穴６０と、側板６の上端縁６ａとの間で、取付杆５７の括れ部５８を挟む如く抜止しているが、この限りでなく、その他の実施の形態を図６（ａ）乃至図６（ｈ）に図示して説明する。
【００４７】
まず、図６（ａ）は、上述した側片１０ｄの挿通穴６０と、側板６の上縁に形成された凹部６ｂとの間で取付杆５７の括れ部５８を抜止する構成を示す。
次に、図６（ｂ）は、上述した側片１０ｄの挿通穴６０と、側板６に形成された穴部６ｃとの間で取付杆５７の括れ部５８を抜止する構成を示す。また、穴部６ｃの径は、取付杆５７を挿通し得る径とされる。
【００４８】
次に、図６（ｃ）は、側片１０ｄの下縁に形成された凹部６０ａと、側板６の上縁に形成された凹部６ｂとの間で取付杆５７の括れ部５８を抜止する構成を示す。
次に、図６（ｄ）は、側片１０ｄの下縁に形成された凹部６０ａと、側板６に形成された穴部６ｃとの間で取付杆５７の括れ部５８を抜止する構成を示す。
次に、図６（ｅ）は、側片１０ｄの下縁に形成された凹部６０ａと、上述した側板６の上端縁６ａとの間で取付杆５７の括れ部５８を抜止する構成を示す。
【００４９】
次に、図６（ｆ）は、側片１０ｄの下端縁６０ｂと、側板６の上縁に形成された凹部６ｂとの間で取付杆５７の括れ部５８を抜止する構成を示す。
次に、図６（ｇ）は、側片１０ｄの下端縁６０ｂと、側板６に形成された穴部６ｃとの間で取付杆５７の括れ部５８を抜止する構成を示す。
次に、図６（ｈ）は、側片１０ｄの下端縁６０ｂと、側板６の上端縁６ａとの間で取付杆５７の括れ部５８を抜止する構成を示す。
【００５０】
このように、受台１０の側片１０ｄと側板６との間で、取付杆５７の括れ部５８を挟む如く抜止する間隔をなす構成であればよく、ワークガイド５０の着脱を容易とすることが可能となる。
なお、受台１０の内片１０ｅに関し、この内片１０ｅには、取付杆５７の先端部を支持する支持部としての開口穴６１が形成されているが、取付杆５７の先端部を支持することができれば、開口穴６１に限らず、内片１０ｅの下端に形成した凹部で取付杆５７を当接支持したり、内片１０ｅの下端縁によって取付杆５７を当接支持してもよい。また、内片１０ｅが取付杆５７を接触する部位は、先端部に限らず、括れ部５８を除く部位であればよい。
【００５１】
【発明の効果】
以上説明したように本発明によるワークガイド付計量装置は、コンベアをなす受台の側片と、この受台を着脱自在に固定する側板との間に、物品の搬送幅を規制するガイド部を固定する固定部に突設された棒状の取付杆を、取付杆にある括れ部を介して抜止し、且つ受台にある支持部によって取付杆を支持するようにした。
これにより、側板から受台を取り外す際に、ガイド部および固定部を同時に取り外すことができ、さらに、取り付けの際も不必要な位置調整をすることなく取り付けることができるため、ワークガイドの着脱を手間なく容易に行うことができる。
【００５２】
そして、ワークガイドを着脱するための複雑な着脱機構を備える必要がないため、構成部品を減少、且つ簡素化することができる。
【００５３】
さらに、ワークガイドを取り外す際には、分離される部品が存在しないため、該部品の紛失や、紛失した部品が搬送される物品に混入するなどの問題を無くすことができる。
【００５４】
また、受台の側片下縁あるいは側板の上縁の何れか一方または双方に、取付杆の括れ部を受ける凹部を形成したり、さらに、受台の側片に取付杆を挿通し得る挿通穴を形成することにより、各凹部の間や、挿通穴の内縁と側板の上端縁あるいは側板の凹部との間で、取付杆の括れ部を挟む如く抜止するので、確実且つ適宜なワークガイドの取り付け状態を得ることができる。
【図面の簡単な説明】
【図１】本発明の計量装置のコンベアを示す平面図。
【図２】同要部の側面図。
【図３】図２のＡ−Ａ断面図。
【図４】（ａ）ワークガイドの取付構造を示す側面図。
（ｂ）同断面図。
【図５】ワークガイドを取り外した状態を示す断面図。
【図６】（ａ）〜（ｈ）ワークガイドの取付構造の他の例を示す概略図。
【図７】（ａ）従来の計量装置を示す側面図。
（ｂ）同正面図。
【符号の説明】
１…コンベア、６…側板、８…計量部、１０…受台、１０ｄ…側片、１１Ａ，１１Ｂ…ローラ、１２…ベルト、５１…ガイド部、５２…固定部、５７…取付杆、５８…括れ部、６０…挿通穴、６０ａ，６ｂ…凹部、６１…支持部。
【図１】
0003585732.tif 000002
【図２】
0003585732.tif 000003
【図３】
0003585732.tif 000004
【図４】
0003585732.tif 000005
【図５】
0003585732.tif 000006
【図６】
0003585732.tif 000007
【図７】
0003585732.tif 000008